(57)【特許請求の範囲】
【請求項１】
電線側アーキングホーンと、接地側アーキングホーンとを備える碍子に設置される鳥獣害防止具であって、
前記接地側アーキングホーンに挿入され、前記接地側アーキングホーンの軸周りに回転自在に取り付けられる導電性の回転部材と、
前記回転部材の内部に形成され、前記回転部材における前記接地側アーキングホーンへの挿入方向に対して反対方向側に延在し、前記接地側アーキングホーンに当接する板ばね部と、
を備えることを特徴とする鳥獣害防止具。
【請求項２】
前記回転部材の表面に形成される複数の鋭利な突起部を更に備えることを特徴とする請求項１記載の鳥獣害防止具。
【請求項３】
前記回転部材は、複数の短筒部からなることを特徴とする請求項１又は請求項２記載の鳥獣害防止具。
【請求項４】
前記回転部材は、前記接地側アーキングホーンに挿入される内筒と、当該内筒が内部に挿入される外筒とからなる二重構造であることを特徴とする請求項１乃至請求項３のいずれか１項記載の鳥獣害防止具。
【発明の詳細な説明】
【技術分野】
【０００１】
本発明は、ラインポスト碍子に適用される鳥獣害防止具に関する。
【背景技術】
【０００２】
図５は、アーキングホーンを備えたラインポスト碍子１００の構成を示す正面図である。ラインポスト碍子１００は、碍子本体１０２と、電線側金具１０３、接地側金具１０４と、電線側アーキングホーン１０５と、接地側アーキングホーン１０６と、固定軸１０７と、を備えている。
【０００３】
碍子本体１０２は、磁器製であり、円筒部１０２ａと、この円筒部１０２ａの外周に中心軸に沿って並べられた複数段の笠部１０２ｂとを備えている。
【０００４】
電線側金具１０３は、上部が閉鎖された円筒状の金具であり、碍子本体１０２の上部に被せた状態で固定される。また、電線側金具１０３の上部には、送電線１５０が載置される溝部（図示せず）が形成されている。送電線１５０は、この溝部（図示せず）に載置され、固定金具（図示せず）によって電線側金具１０３に固定される。
【０００５】
接地側金具１０４は、円筒形状をなしており、碍子本体１０２の下端部に取り付けられる。接地側金具１０４の下面からは、固定軸１０７が碍子本体１０２と同軸に下方に延びている。この固定軸１０７を、例えば、電柱の腕金１６０に形成された孔部に挿入し、ナット締めすることにより、ラインポスト碍子１００が腕金１６０に固定される。
【０００６】
電線側アーキングホーン１０５は、導電性の略棒状部材からなり、基端部は電線側金具１０３に取付金具を介して固定され、先端部は斜め下方に延びている。
【０００７】
接地側アーキングホーン１０６は、導電性の略棒状部材からなり、基端部は接地側金具１０４に取付金具を介して固定され、先端部は斜め上方に延びている。
【０００８】
そして、例えば、送電線１５０が雷撃を受けた場合、この雷撃によって生じる過大な電流を、電線側アーキングホーン１０５の先端部と接地側アーキングホーン１０６との間で放電させ、雷のアークを対地に逃がすことにより、碍子本体１０２の破損を防止している。
【０００９】
ところで、ラインポスト碍子１００は、送電線や腕金等の鳥類が留まり易い場所の近く配置されている。このため、図６に示すように、鳥類が、接地側アーキングホーン１０６に留まり、電線側アーキングホーン１０５をクチバシ等でつついた場合に、電線側アーキングホーン１０５から接地側アーキングホーン１０６に電流が流れて地絡事故が生じるおそれがある。
【００１０】
そこで、従来、鳥類による地絡事故を確実に防止するために、特許文献１に記載された技術が提案されている。特許文献１によれば、接地側アーキングホーン、絶縁性を有するカバーによって絶縁保護することにより、鳥などが接地側アーキングホーンのカバー上に留まって、充電側アーキングホーンに接触しても、カバーによって鳥と接地側アーキングホーンとの間が絶縁されているので、地絡事故が生じることを防止することができる。
【先行技術文献】
【特許文献】
【００１１】
【特許文献１】特開２００５−１５８３８５号公報
【発明の概要】
【発明が解決しようとする課題】
【００１２】
しかしながら、特許文献１に記載された技術のように、接地側アーキングホーンを絶縁性のカバーによって絶縁保護した場合、実際に落雷が発生して充電側アーキングホーンと接地側アーキングホーンとの間で放電が発生したときに、カバーが高温になって溶けてしまうおそれがある。カバーが溶けた場合に、接地側アーキングホーンの一部が露出してしまい、その露出部分に鳥獣類が接触する可能性が生ずる。このため、鳥獣類による地絡事故が発生するおそれが生ずる。
【００１３】
本発明は、このような問題点を解決し、鳥獣類による地絡事故の発生を確実に防止することを可能にした鳥獣害防止具を提供することを目的とする。
【課題を解決するための手段】
【００１４】
前記目的を達成するため、本発明は、次に記載する構成を備えている。
【００１５】
（１）  電線側アーキングホーンと、接地側アーキングホーンとを備える碍子に設置される鳥獣害防止具であって、前記接地側アーキングホーンに挿入され、前記接地側アーキングホーンの軸周りに回転自在に取り付けられる導電性の回転部材を備えることを特徴とする鳥獣害防止具。
【００１６】
（１）によれば、鳥獣類が接地側アーキングホーンに留まろうとしても、回転部材が回転するため、鳥獣類は、接地側アーキングホーンに乗ることをあきらめるようになる。これにより、鳥獣類による地絡事故の発生を防止することが可能になる。また、回転部材が導電性であるため、送電線が雷撃を受けた場合に、雷のアークを対地に逃がすことができる。
【００１７】
（２）  （１）において、前記回転部材の表面に形成される複数の鋭利な突起部を更に備えることを特徴とする鳥獣害防止具。
【００１８】
（２）によれば、回転部材の表面に複数の鋭利な突起が形成されているため、鳥獣が回転部材に乗ろうとした場合に、突起が鳥獣に刺さる。このため、鳥獣類は、接地側アーキングホーンに乗ることをあきらめるようになり、鳥獣類による地絡事故の発生を防止することが可能になる。
【００１９】
（３）  （１）又は（２）において、前記回転部材の内部に形成され、前記回転部材における前記接地側アーキングホーンへの挿入方向に対して反対方向側に延在し、前記接地側アーキングホーンに当接する板ばね部を更に備えること特徴とする鳥獣害防止具。
【００２０】
（３）によれば、例えば、鳥獣類が回転部材をくわえて接地側アーキングホーンから抜き出そうとした場合、板ばね部が接地側アーキングホーンに対して抗する方向から当接するため、回転部材が接地側アーキングホーンから抜けにくくなる。
【００２１】
（４）  （１）〜（３）において、前記回転部材は、複数の短筒部からなることを特徴とする鳥獣害防止具。
【００２２】
（４）によれば、個々の短筒部がそれぞれ回転自在であるため、少なくとも鳥獣類が乗った短筒部が回転することにより、鳥獣類は、接地側アーキングホーンに乗ることをあきらめるようになる。これにより、その結果、鳥獣類による地絡事故の発生を防止することが可能になる。
【００２３】
（５）  （１）〜（４）において、前記回転部材は、前記接地側アーキングホーンに挿入される内筒と、当該内筒が内部に挿入される外筒とからなる二重構造であることを特徴とする鳥獣害防止具。
【００２４】
（５）によれば、内筒を接地側アーキングホーンに挿入、固定することにより、外筒が接地側アーキングホーンの軸周りに回転自在となる。このため、碍子の種類によって接地側アーキングホーンの形状が異なる場合でも、内筒が挿入できる接地側アーキングホーンであれば、外筒が回転することにより、鳥獣類は、接地側アーキングホーンに乗ることをあきらめるようになる。これにより、鳥獣類による地絡事故の発生を防止することが可能になる。
【発明の効果】
【００２５】
本発明によれば、鳥獣類による事故の発生を確実に防止することを可能にした鳥獣害防止具を提供することが可能になる。
【図面の簡単な説明】
【００２６】
【図１】本発明の第１実施形態における鳥獣害防止具１の外観を示す斜視図である。
【図２】本発明の第１実施形態における鳥獣害防止具１をラインポスト碍子１００に装着した状態を示す説明図である。
【図３】本発明の第１実施形態における鳥獣害防止具１の変形例を示す斜視図である。
【図４】本発明の第２実施形態における鳥獣害防止具１をラインポスト碍子１００に装着した状態を示す斜視図である。
【図５】アーキングホーンを備えたラインポスト碍子１００の構成を示す説明図である。
【図６】ラインポスト碍子１００に留まった鳥獣類による短絡事故を示す説明図である。
【発明を実施するための形態】
【００２７】
以下、本発明の実施形態について、図面を参照しながら詳細に説明する。
【００２８】
［第１実施形態］
図１は、本発明の第１実施形態における鳥獣害防止具１の外観を示す斜視図、図２は、本発明の第１実施形態における鳥獣害防止具１をラインポスト碍子１００に装着した状態を示す斜視図である。
【００２９】
鳥獣害防止具１は、回転部材１０と、突起部１２と、板ばね部１４と、を備えている。
【００３０】
回転部材１０は、導電性を有する材料によって構成されており、円筒状の複数の短筒部１０ａからなる。複数の短筒部１０ａの内径は、ラインポスト碍子１００の接地側アーキングホーン１０６に挿入可能でかつ接地側アーキングホーン１０６の軸周りに回転可能な大きさに設定されている。
【００３１】
突起部１２は、導電性を有する細い棒状部材によって構成されており、先端部が鋭利に形成されている。突起部１２は、回転部材１０の側面の略全面に立設され、径方向に延びている。本実施形態によれば、短筒部１０ａの側面に複数の突起部１２が一周り設けられており、複数の短筒部１０ａを組み合わせることにより、回転部材１０の側面全体に突起部１２が立設する。なお、突起部１２は、短筒部１０ａに植設してもよいし、短筒部１０ａと一体的に形成してもよい。
【００３２】
板ばね部１４は、基端が短筒部１０ａの内面に位置し、先端が短筒部１０ａの中心寄りに位置するように、短筒部１０ａの中心軸に沿って斜めに延びる板状部材からなる。板ばね部１４は、導電性を有する材料によって構成されている。板ばね部１４は、回転部材１０における接地側アーキングホーン１０６への挿入方向に対して反対方向側に延在している。
【００３３】
鳥獣害防止具１は、複数の短筒部１０ａを接地側アーキングホーン１０６に挿入することによって、ラインポスト碍子１００に装着される。短筒部１０ａを接地側アーキングホーン１０６に挿入する際に、作業員は、短筒部１０ａにおける板ばね部１４の基端側の開口を接地側アーキングホーン１０６の先端に対向させて、短筒部１０ａを接地側アーキングホーン１０６に挿入する。短筒部１０ａの内側において、板ばね部１４が接地側アーキングホーン１０６に当接する。これにより、短筒部１０ａを接地側アーキングホーン１０６から抜き取ろうとした場合に、接地側アーキングホーン１０６に対して板ばね部１４が抗する方向から当接するため、短筒部１０ａが接地側アーキングホーン１０６から外れにくくなる。
【００３４】
更に、ラインポスト碍子１００に装着された複数の短筒部１０ａは、接地側アーキングホーン１０６の軸周りに回転自在である。また、回転部材１０が導電性であるため、送電線が雷撃を受けた場合に、雷のアークを対地に逃がすことができる。
【００３５】
以上説明したように構成された第１実施形態によれば、鳥獣類が接地側アーキングホーン１０６に留まろうとしても、回転部材１０が回転するため、鳥獣類は、接地側アーキングホーンに乗ることをあきらめるようになる。これにより、鳥獣類による地絡事故の発生を防止することが可能になる。また、回転部材１０が導電性であるため、送電線が雷撃を受けた場合に、雷のアークを対地に逃がすことができる。また、従来のように絶縁カバー等を用いていないため、絶縁カバーが熱によって溶けて接地側アーキングホーンが外部に露出するといった問題は発生しない。
【００３６】
また第１実施形態によれば、回転部材１０の表面に複数の鋭利な突起が形成されているため、鳥獣が回転部材１０に乗ろうとした場合に、突起が鳥獣に刺さる。このため、鳥獣類は、接地側アーキングホーン１０６に乗ることをあきらめるようになり、鳥獣類による地絡事故の発生を防止することが可能になる。
【００３７】
また第１実施形態によれば、例えば、鳥獣類が回転部材１０をくわえて接地側アーキングホーン１０６から抜き出そうとした場合、板ばね部１４が接地側アーキングホーン１０６に対して抗する方向から当接する。このため、回転部材１０が接地側アーキングホーン１０６から抜けにくくなる。
【００３８】
また第１実施形態によれば、回転部材１０は、軸方向に並べられる複数の短筒部１０ａからなるため、例えば、接地側アーキングホーン１０６に屈曲部分があっても、個々の短筒部１０ａを接地側アーキングホーン１０６に挿入することが可能になる。また、個々の短筒部がそれぞれ回転自在であるため、少なくとも鳥獣類が乗った短筒部が回転することにより、鳥獣類は、接地側アーキングホーンに乗ることをあきらめるようになり、その結果、鳥獣類による地絡事故の発生を防止することが可能になる。
【００３９】
なお、上述した第１実施形態における鳥獣害防止具１においては、回転部材１０は、複数の短筒部１０ａによって構成されているが、図３に示すように、１本の筒状部１０ｂに、円周に沿って並ぶ複数の突起部１２を複数列形成してもよい。
【００４０】
また、第１実施形態における鳥獣害防止具１においては、腕金１６０の上方に延びるように設置されたラインポスト碍子１００に装着された例について説明したが、それに限らず、例えば、上下の送電線を離間させた状態で維持するためのスペーサとなる碍子において、アーキングホーンを備えたものに適用してもよい。
【００４１】
［第２実施形態］
図４は、本発明の第２実施形態における鳥獣害防止具２の構成を示す斜視図である。
【００４２】
鳥獣害防止具２は、回転部材２０と、突起部２２と、板ばね部２４と、を備えている。
【００４３】
回転部材２０は、導電性を有する材料によって構成されており、内筒２０ａと、外筒２０ｂと、を備える。内筒２０ａの内径は、ラインポスト碍子１００の接地側アーキングホーン１０６に挿入かつ固定可能な大きさに設定されている。
【００４４】
外筒２０ｂは、内筒２０ａと同軸に内筒２０ａの外側に配置され、内筒２０ａの軸周りに回転自在である。すなわち、回転部材２０は、内筒２０ａと外筒２０ｂとの二重構造である。
【００４５】
突起部２２は、導電性を有する細い棒状部材によって構成されており、先端部が鋭利に形成されている。突起部２２は、回転部材２０の側面の略全面に立設され、径方向に延びている。
【００４６】
板ばね部２４は、基端が内筒２０ａの内面に位置し、先端が内筒２０ａの中心寄りに位置するように、内筒２０ａの中心軸に沿って斜めに延びる板状部材からなる。板ばね部２４は、内筒２０ａの内面に複数設けられている。また、板ばね部２４は、導電性を有する材料によって構成されている。板ばね部２４は、回転部材１０における接地側アーキングホーン１０６への挿入方向に対して反対方向側に延在している。
【００４７】
鳥獣害防止具２は、複数の内筒２０ａを接地側アーキングホーン１０６に挿入することによって、ラインポスト碍子１００に装着される。内筒２０ａを接地側アーキングホーン１０６に挿入する際に、作業員は、内筒２０ａにおける板ばね部２４の基端側の開口を接地側アーキングホーン１０６の先端に対向させて、内筒２０ａを接地側アーキングホーン１０６に挿入する。これにより、内筒２０ａが接地側アーキングホーン１０６に固定され、外筒２０ｂが内筒２０ａの軸周りに回転する。
【００４８】
以上説明したように構成された第２実施形態によれば、鳥獣類が接地側アーキングホーン１０６に留まろうとしても、回転部材２０の外筒２０ｂが回転するため、鳥獣類は、接地側アーキングホーンに乗ることをあきらめるようになる。これにより、鳥獣類による地絡事故の発生を防止することが可能になる。
【００４９】
また第２実施形態によれば、例えば、碍子の種類によって接地側アーキングホーンの太さや形状が異なる場合でも、内筒２０ａが挿入できる接地側アーキングホーン１０６であれば、外筒２０ｂが回転するため、鳥獣類は、接地側アーキングホーン１０６に乗ることをあきらめるようになる。このように、第２実施形態によれば、適用可能な接地側アーキングホーンの種類を増やすことが可能になる。
【符号の説明】
【００５０】
１、２  鳥獣害防止具
１０  回転部材
１０ａ  短筒部
１０ｂ  筒状部
１２  突起部
１４  板ばね部
２０  回転部材
２０ａ  内筒
２０ｂ  外筒
２２  突起部
２４  板ばね部
１００  ラインポスト碍子
１０２  碍子本体
１０２ａ  円筒部
１０２ｂ  笠部
１０３  電線側金具
１０４  接地側金具
１０５  電線側アーキングホーン
１０６  接地側アーキングホーン
１０７  固定軸
１５０  送電線
１６０  腕金
【図１】
0005946891.tif 000002
【図２】
0005946891.tif 000003
【図３】
0005946891.tif 000004
【図４】
0005946891.tif 000005
【図５】
0005946891.tif 000006
【図６】
0005946891.tif 000007